(57)【要約】【課題】固体撮像素子と回路基板とを接続するリードを補強するための補強板を設けても撮像モジュールの外形寸法が大きくならず、耐久性向上をコンパクトに図ることができる電子内視鏡の先端部を提供すること。【解決手段】挿入部１の先端に内蔵された固体撮像素子６の後方に回路基板１０が配置されて、固体撮像素子６の外側面６ｂに沿う位置から回路基板１０の接続端子部１６に向かって複数のリード１５が並んで配置されると共に、電気絶縁性の補強板１７が複数のリード１５の外面に沿って固着された電子内視鏡の先端部において、複数のリード１５を、固体撮像素子６の外側面６ｂに沿う位置より後方において補強板１７の肉厚以上に内側に凹ませて、その凹部の外面部分に補強板１７を固着した。【選択図】      図１
2006051259.tif 000002
【特許請求の範囲】
【請求項１】
挿入部の先端に内蔵された固体撮像素子の後方に回路基板が配置されて、上記固体撮像素子の外側面に沿う位置から上記回路基板の接続端子部に向かって複数のリードが並んで配置されると共に、電気絶縁性の補強板が上記複数のリードの外面に沿って固着された電子内視鏡の先端部において、
上記複数のリードを、上記固体撮像素子の外側面に沿う位置より後方において上記補強板の肉厚以上に内側に凹ませて、その凹部の外面部分に上記補強板を固着したことを特徴とする電子内視鏡の先端部。
【請求項２】
上記複数のリードが、上記固体撮像素子の外側面に沿う位置から上記固体撮像素子の背面に沿って上記補強板の肉厚以上に内側に凹んだ形状に折り曲げられている請求項１記載の電子内視鏡の先端部。
【請求項３】
上記複数のリードが、上記固体撮像素子の外側面に沿う位置から上記固体撮像素子の背面に沿って上記補強板の肉厚以上に内側に凹んだ形状にクランク状に折り曲げられて、その折り曲げ位置より後方においては真っ直ぐに後方に向かう形状に形成されている請求項１又は２記載の電子内視鏡の先端部。
【発明の詳細な説明】
【技術分野】
【０００１】
この発明は電子内視鏡の先端部に関する。
【背景技術】
【０００２】
電子内視鏡においては一般に、挿入部の先端に内蔵された固体撮像素子の後方に回路基板が配置されて、固体撮像素子の外側面に沿う位置から回路基板の接続端子部に向かって複数のリードが並んで配置されている。
【０００３】
そして、並んで配置された複数のリード部分の補強を図るために、電気絶縁性の補強板が複数のリードの外面に沿って固着されたものがある（例えば、特許文献１）。
【特許文献１】特開２０００−８３８９６
【発明の開示】
【発明が解決しようとする課題】
【０００４】
図９は、上述のような従来の電子内視鏡の固体撮像素子９１と回路基板９２とがリード９４で接続された撮像モジュールを示しており、固体撮像素子９１の外側面に沿う位置から回路基板９２の接続端子部９３に向かって複数のリード９４が並んで配置され、その外面に沿って補強板９５が固着されている。
【０００５】
しかし、そのような撮像モジュールは、補強板９５が取り付けられている分だけ外形寸法が大きくなり、それに伴って電子内視鏡の先端部が太くなるため、内視鏡検査を受ける人の肉体的負担（苦痛）を大きくしていた。
【０００６】
そこで本発明は、固体撮像素子と回路基板とを接続するリードを補強するための補強板を設けても撮像モジュールの外形寸法が大きくならず、耐久性向上をコンパクトに図ることができる電子内視鏡の先端部を提供することを目的とする。
【課題を解決するための手段】
【０００７】
上記の目的を達成するため、本発明の電子内視鏡の先端部は、挿入部の先端に内蔵された固体撮像素子の後方に回路基板が配置されて、固体撮像素子の外側面に沿う位置から回路基板の接続端子部に向かって複数のリードが並んで配置されると共に、電気絶縁性の補強板が複数のリードの外面に沿って固着された電子内視鏡の先端部において、複数のリードを、固体撮像素子の外側面に沿う位置より後方において補強板の肉厚以上に内側に凹ませて、その凹部の外面部分に補強板を固着したものである。
【０００８】
なお、複数のリードが、固体撮像素子の外側面に沿う位置から固体撮像素子の背面に沿って補強板の肉厚以上に内側に凹んだ形状に折り曲げられていてもよく、複数のリードが、固体撮像素子の外側面に沿う位置から固体撮像素子の背面に沿って補強板の肉厚以上に内側に凹んだ形状にクランク状に折り曲げられて、その折り曲げ位置より後方においては真っ直ぐに後方に向かう形状に形成されていてもよい。
【発明の効果】
【０００９】
本発明によれば、複数のリードを、固体撮像素子の外側面に沿う位置より後方において補強板の肉厚以上に内側に凹ませて、その凹部の外面部分に補強板を固着したことにより、補強板が固体撮像素子の外側面に沿うリードの外形より外方に出っ張らないので、固体撮像素子と回路基板とを接続するリードを補強するための補強板を設けても撮像モジュールの外形寸法が大きくならず、したがって、挿入部先端が太くなって内視鏡検査を受ける人の肉体的負担を大きくするようなことがなく、耐久性向上をコンパクトに図ることができる。
【発明を実施するための最良の形態】
【００１０】
挿入部の先端に内蔵された固体撮像素子の後方に回路基板が配置されて、固体撮像素子の外側面に沿う位置から回路基板の接続端子部に向かって複数のリードが並んで配置されると共に、電気絶縁性の補強板が複数のリードの外面に沿って固着された電子内視鏡の先端部において、複数のリードを、固体撮像素子の外側面に沿う位置より後方において補強板の肉厚以上に内側に凹ませて、その凹部の外面部分に補強板を固着する。
【実施例】
【００１１】
図面を参照して本発明の実施例を説明する。
図１は、固体撮像素子６を内蔵する電子内視鏡の挿入部１の先端部分を示しており、挿入部１の先端に連結された先端部本体２の先端面に観察窓３等が配置されている。
【００１２】
観察窓３の奥には、鏡枠５に保持された複数のレンズからなる対物光学系４が内蔵されていて、その対物光学系４による被写体の投影位置に、例えばＣＣＤ（電荷結合素子）からなる固体撮像素子６の撮像面６ａが配置されている。固体撮像素子６の撮像面６ａにはカバーガラス７が貼り付けられている。８はレーザカットフィルタである。
【００１３】
そのような固体撮像素子６と鏡枠５を保持する撮像ユニット枠９内には、固体撮像素子６の駆動回路等を構成する例えばコンデンサやＩＣチップ等の電子部品１１が取り付けられた回路基板１０が、固体撮像素子６の直ぐ後側に隣接して固体撮像素子６に対して固定的に配置されている。回路基板１０は例えばセラミックスからなるブロック体により形成されている。
【００１４】
１２は、挿入部１内に全長にわたって挿通配置された信号ケーブルであり、その先端から引き出された複数の信号線１３が、回路基板１０の後端部に設けられた接続端子部１６に半田付けによって各々接続固着されている。
【００１５】
また、その部分を斜め後方から見た状態を図示する図２にも示されるように、固体撮像素子６と回路基板１０との間で駆動信号や撮像信号等を伝送するために固体撮像素子６の撮像面６ａ側から延出する複数のリード１５が、固体撮像素子６の上端と下端の外側面６ｂに沿う位置からその後方の回路基板１０の接続端子部１６に向かって並列に並んで配置され、各リード１５の後端部は半田付けによって接続端子部１６に接続固着されている。
【００１６】
そのように並んで設けられた複数のリード１５は、固体撮像素子６の外側面６ｂに沿う位置から固体撮像素子６の背面６ｃに沿って内側に凹んだ形状にクランク状に折り曲げられていて、その折り曲げ位置より後方においては真っ直ぐに後方に向かう形状に形成されている。
【００１７】
そして、リード１５の折り曲げ位置の直後の内側に凹んだ部分（凹部）の外面部分には、上端側と下端側とで各一枚ずつ、例えばポリイミド樹脂板等のような電気絶縁性の補強板１７が複数のリード１５にまたがって接着固定されてそれらを一体化して補強している。
【００１８】
ただし、補強板１７の肉厚はリード１５の凹部の深さ以下の寸法に形成されている。逆に言うと、リード１５は、固体撮像素子６の外側面６ｂに沿う位置に比べて凹部において補強板１７の肉厚以上に凹んでいる。
【００１９】
したがって、その部分を拡大して図示する図３に示されるように、補強板１７の外面位置は上端側及び下端側の双方においてリード１５の最外面位置より外方に出っ張っておらず、ｅ≧０である。
【００２０】
また、図４に示されるように、補強板１７の幅ｗは固体撮像素子６の幅Ｗ以下の寸法（即ち、ｗ≦Ｗ）に形成されており、幅方向においても補強板１７が固体撮像素子６より出っ張らないようになっている。
【００２１】
したがって、固体撮像素子６と回路基板１０とそれらを接続するリード１５からなる撮像モジュールの外形寸法は、補強板１７が設けられていても補強板１７が設けられていない場合と相違がなく、先端部本体２の外径を太くすることなくコンパクトな構成の中に補強板１７を配置してリード１５部分を補強することができる。
【００２２】
図５ないし図８は、上述のような撮像モジュール部分の組み立て工程を順に示しており、図５に示されるように、固体撮像素子６と回路基板１０の接続端子部１６とをリード１５で接続してその外面に補強板１７を取り付けると共に、固体撮像素子６の撮像面６ａ側にカバーガラス７とレーザカットフィルタ８を貼り付け、信号ケーブル１２から引き出した信号線１３を回路基板１０の後端の端子部に接続する。
【００２３】
そして、図６に示されるように、回路基板１０と固体撮像素子６を囲むように撮像ユニット枠９を信号ケーブル１２側からスライドさせる。このとき、補強板１７が出っ張っていないので、補強板１７があっても撮像ユニット枠９の径を大きく形成する必要がない。なお、撮像ユニット枠９は、例えばステンレス鋼等の金属製であり、内面には電気絶縁性のコーティング又はテープ等が付されている。
【００２４】
次いで、図７に示されるように、撮像ユニット枠９の先端部分に鏡枠５を固着するのであるが、その際に、固体撮像素子６を軸線方向に移動させてピント合わせをしてから各部材を撮像ユニット枠９に接着固定する。
【００２５】
そして最後に、図８に示されるように、撮像ユニット枠９の後端近傍に形成された穿孔から矢印Ａで示されるように接着剤１８を撮像ユニット枠９内に充填して、撮像ユニット枠９内の固体撮像素子６より後方の空間を封止し、撮像ユニット枠９と信号ケーブル１２とをコイル２０又は糸巻等で固定する。
【００２６】
なお、本発明は上記実施例に限定されるものではなく、例えば、リード１５は補強板１７が取り付けられる部分だけを凹ませた形状に形成してもよい。
【図面の簡単な説明】
【００２７】
【図１】本発明の実施例の電子内視鏡の挿入部の先端付近の側面断面図である。
【図２】本発明の実施例の固体撮像素子と回路基板と信号ケーブル部分を斜め後方から見た状態の斜視図である。
【図３】本発明の実施例の固体撮像素子と回路基板部分の拡大側面断面図である。
【図４】本発明の実施例の固体撮像素子と回路基板部分を斜め後方から見た状態の斜視図である。
【図５】本発明の実施例の電子内視鏡の先端部の撮像ユニットの組み立て工程を示す側面断面図である。
【図６】本発明の実施例の電子内視鏡の先端部の撮像ユニットの組み立て工程を示す側面断面図である。
【図７】本発明の実施例の電子内視鏡の先端部の撮像ユニットの組み立て工程を示す側面断面図である。
【図８】本発明の実施例の電子内視鏡の先端部の撮像ユニットの組み立て工程を示す側面断面図である。
【図９】従来の固体撮像素子と回路基板部分の側面断面図である。
【符号の説明】
【００２８】
１  挿入部
２  先端部本体
６  固体撮像素子
６ａ  撮像面
６ｂ  外側面
６ｃ  背面
９  撮像ユニット枠
１０  回路基板
１５  リード
１６  接続端子部
１７  補強板
【図１】
2006051259.tif 000003
【図２】
2006051259.tif 000004
【図３】
2006051259.tif 000005
【図４】
2006051259.tif 000006
【図５】
2006051259.tif 000007
【図６】
2006051259.tif 000008
【図７】
2006051259.tif 000009
【図８】
2006051259.tif 000010
【図９】
2006051259.tif 000011